【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
電力変換器のパワートランジスタを通して測定された電流に基づいて、第１の電圧を生成するように構成された電流センス増幅器と、
前記電流センス増幅器の出力を受けとるように接続された第１のスイッチと、
前記電流センス増幅器の出力と前記第１のスイッチとの間に接続された第１の端子と、グラウンドノートに接続された第２の端子とを有する抵抗と、
第２の電圧を生成するように構成された電圧発生器と、
前記電力変換器がデューティサイクルの長位相にあるという判定に応じて、外部エラー増幅器の出力電圧と比較するために、外部パルス幅変調器比較器へ前記第２の電圧ではなく前記第１の電圧を送り、
前記電力変換器がデューティサイクルの短位相にあるという判定に応じて、前記外部エラー増幅器の出力電圧と比較するために、前記外部パルス幅変調器比較器へ前記第１の電圧ではなく前記第２の電圧を送る
ように構成された制御ロジックと、
を備える、電流フィードバック回路。
【請求項２】
前記電圧発生器は、コンデンサと直列に接続された電流源を含み、前記コンデンサを充電する前記電流源は、前記第２の電圧を生成する、請求項１に記載の電流フィードバック回路。
【請求項３】
前記電流源は、前記電力変換器の入力電圧と前記電力変換器の出力電圧との差に比例した電流を生成するように構成されている、請求項２に記載の電流フィードバック回路。
【請求項４】
前記電流センス増幅器は、
前記電力変換器のインダクタ電流である前記測定された電流の低減版として、センス電流を生成し、
前記センス電流に基づいて、前記第１の電圧を生成する
ように構成されている、請求項１に記載の電流フィードバック回路。
【請求項５】
前記第１のスイッチは、前記外部パルス幅変調器比較器の入力に更に接続され、
前記制御ロジックは、前記電力変換器が前記デューティサイクルの前記長位相にあるという判定に応じて、前記第１のスイッチを閉じるように更に構成されている、請求項１に記載の電流フィードバック回路。
【請求項６】
前記電流源の出力と前記コンデンサの入力との間に第２のスイッチを更に備える前記電流フィードバック回路であって、
前記制御ロジックは、前記電力変換器が前記デューティサイクルの前記短位相にあるという判定に応じて、前記第２のスイッチを閉じるように更に構成されている、請求項５に記載の電流フィードバック回路。
【請求項７】
電流センス増幅器が、電力変換器のパワートランジスタを通して測定された電流に基づいて、第１の電圧を生成することと、
第１のスイッチが、前記電流センス増幅器の出力を受けとることと、
抵抗の第１の端子が、前記電流センス増幅器の出力を受けとることであって、前記抵抗の第１の端子が、前記電流センス増幅器の出力と、前記第１のスイッチとの間に接続されており、前記抵抗の第２の端子が、グラウンドノートに接続されている、ことと、
電圧発生器により第２の電圧を生成することと、
前記電力変換器がデューティサイクルの長位相にあるという判定に応じて、エラー増幅器の出力電圧と比較するために、パルス幅変調器比較器へ前記第２の電圧ではなく前記第１の電圧を送ることと、
前記電力変換器がデューティサイクルの短位相にあるという判定に応じて、エラー増幅器の出力電圧と比較するために、前記パルス幅変調器比較器へ前記第１の電圧ではなく前記第２の電圧を送ることと、
を含む方法。
【請求項８】
前記電圧発生器は、コンデンサと直列に接続された電流源を含み、前記コンデンサを充電する前記電流源は、前記第２の電圧を生成する、請求項７に記載の方法。
【請求項９】
前記電流源により、前記電力変換器の入力電圧と前記電力変換器の出力電圧との差に比例した電流を生成することを含む、請求項８に記載の方法。
【請求項１０】
前記電力変換器のインダクタ電流である前記測定された電流の低減版として、センス電流を生成することと、
前記センス電流に基づいて、前記第１の電圧を生成することと、
を更に含む、請求項７に記載の方法。
【請求項１１】
前記電力変換器が前記デューティサイクルの前記長位相にあるという判定に応じて、第１のスイッチを閉じることを更に含む前記方法であって、
前記第１のスイッチは、前記電流センス増幅器の出力と前記ＰＷＭ比較器の入力との間に存在する、請求項１０に記載の方法。
【請求項１２】
前記電力変換器が前記デューティサイクルの前記短位相にあるという判定に応じて、第２のスイッチを閉じることを更に含む前記方法であって、
前記第２のスイッチは、前記電流源の出力と前記コンデンサの入力との間に存在する、請求項１１に記載の方法。
【請求項１３】
前記電力変換器が前記デューティサイクルの前記短位相にあるという判定に応じて、前記第１のスイッチを開くことと、
前記電力変換器が前記デューティサイクルの前記長位相にあるという判定に応じて、前記第２のスイッチを開くことと、
を更に含む請求項１２に記載の方法。
【請求項１４】
スイッチングノードに接続された出力に直列に接続された２つのパワートランジスタと、
前記２つのパワートランジスタを作動及び停止させて、ローパスフィルタのスイッチングノード入力の電圧を変化させるように構成されたコントローラと、
前記コントローラ内のパルス幅変調器比較器へ、前記ローパスフィルタ内を流れるインダクタ電流に少なくとも基づく電圧を送るように構成された電流フィードバック回路と、  を備える電力変換器であって、
前記電流フィードバック回路は、
前記２つのパワートランジスタの１つのパワートランジスタを通して測定された電流に基づいて、第１の電圧を生成するように構成された電流センス増幅器と、
前記電流センス増幅器の出力を受けとるように接続された第１のスイッチと、
前記電流センス増幅器の出力と前記第１のスイッチとの間に接続された第１の端子と、グラウンドノートに接続された第２の端子とを有する抵抗と、
第２の電圧を生成するように構成された電圧発生器と、
制御ロジックと、を含み、前記制御ロジックは、
前記電力変換器がデューティサイクルの長位相にあるという判定に応じて、エラー増幅器の出力電圧と比較するために、パルス幅変調器比較器へ前記第２の電圧ではなく前記第１の電圧を送り、
前記電力変換器がデューティサイクルの短位相にあるという判定に応じて、前記エラー増幅器の出力電圧と比較するために、前記パルス幅変調器比較器へ前記第１の電圧ではなく前記第２の電圧を送るように構成されている、電力変換器。
【請求項１５】
前記電圧発生器は、コンデンサと直列に接続された電流源を含み、前記コンデンサを充電する前記電流源は、前記第２の電圧を生成する、請求項１４に記載の電力変換器。
【請求項１６】
前記電流源は、前記電力変換器の入力電圧と前記電力変換器の出力電圧との差に比例した電流を生成するように構成されている、請求項１５に記載の電力変換器。
【請求項１７】
電流センス増幅器は、
前記電力変換器のインダクタ電流である前記測定された電流の低減版として、センス電流を生成し、
前記センス電流に基づいて、前記第１の電圧を生成する
ように構成されている、請求項１４に記載の電力変換器。
【請求項１８】
前記第１のスイッチは、前記パルス幅変調器比較器の入力に更に接続され、
前記制御ロジックは、前記電力変換器が前記デューティサイクルの前記長位相にあるという判定に応じて、前記第１のスイッチを閉じるように更に構成されている、請求項１４に記載の電力変換器。
【請求項１９】
前記電流フィードバック回路は、前記電流源の出力と前記コンデンサの入力との間に第２のスイッチを更に含み、
前記制御ロジックは、前記電力変換器が前記デューティサイクルの前記短位相にあるという判定に応じて、前記第２のスイッチを閉じるように更に構成されている、請求項１８に記載の電力変換器。
【請求項２０】
前記制御ロジックは、
前記電力変換器が前記デューティサイクルの前記短位相にあるという判定に応じて、前記第１のスイッチを開き、
前記電力変換器が前記デューティサイクルの前記長位相にあるという判定に応じて、前記第２のスイッチを開く
ように更に構成されている、請求項１９に記載の電力変換器。